Podtech/llm-jp-corpus-v4-ja_patent huggingface dataset:
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
抽選手段と、
設定値情報を記憶可能な所定の記憶領域を有する記憶手段と、
所定の表示手段と、
設定値情報の異常を判定する設定値異常判定手段と、
を備え、
特定条件を満たした場合には、設定変更モードに移行可能とし、
設定変更モードでは、前記所定の記憶領域に記憶する設定値情報として「０」〜「Ｎ」（但し、Ｎは数値）の範囲内の値を選択可能とし、
設定変更モードにおいて、
設定値情報として「０」が記憶されている場合には、前記所定の表示手段に「１」に対応する情報を表示可能とし、
設定値情報として「Ｎ」が記憶されている場合には、前記所定の表示手段に「Ｎ＋１」に対応する情報を表示可能とし、
前記設定値異常判定手段は、設定値情報と「Ｎ＋１」とを用いた所定の演算により、設定値情報が「０」〜「Ｎ」の範囲内であるか否かを判定可能とする
ことを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、抽選手段と、設定値情報を記憶可能な所定の記憶領域を有する記憶手段と、所定の表示手段と、設定値情報の異常を判定する設定値異常判定手段と、を備え、特定条件を満たした場合には、設定変更モードに移行可能とし、設定変更モードでは、前記所定の記憶領域に記憶する設定値情報として「０」〜「Ｎ」（但し、Ｎは数値）の範囲内の値を選択可能とし、設定変更モードにおいて、設定値情報として「０」が記憶されている場合には、前記所定の表示手段に「１」に対応する情報を表示可能とし、設定値情報として「Ｎ」が記憶されている場合には、前記所定の表示手段に「Ｎ＋１」に対応する情報を表示可能とし、前記設定値異常判定手段は、設定値情報と「Ｎ＋１」とを用いた所定の演算により、設定値情報が「０」〜「Ｎ」の範囲内であるか否かを判定可能とすることを特徴とする。
また、本発明に係る遊技機の変形例として、所定の表示手段と、所定の操作手段と、遊技の制御を行う主制御手段と、設定値情報を記憶可能な設定値情報記憶手段と、を備え、前記主制御手段は、「０」〜「Ｎ」（但し、Ｎは１以上の整数）の範囲内の値を前記設定値情報記憶手段に記憶可能とし、電源復帰後に所定の条件を満たしたときに、設定変更モードに移行可能とし、設定変更モード中において、前記設定値情報記憶手段に「Ｎ」が記憶されているときに前記所定の操作手段が操作された場合には、前記設定値情報記憶手段に「０」を記憶可能とし、設定変更モード中において、前記設定値情報記憶手段に「０」が記憶されているときには、前記所定の表示手段に「１」を示す情報を表示可能とし、前記設定値情報記憶手段に「Ｎ」が記憶されているときには、前記所定の表示手段に「Ｎ＋１」を示す情報を表示可能とし、設定変更モードには、前記所定の操作手段の操作により前記設定値情報記憶手段の情報を変更可能な第１状態と、前記所定の操作手段の操作により前記設定値情報記憶手段の情報を変更不可能な第２状態とを有し、設定変更モードの第１状態に移行したときにおける前記所定の表示手段に表示されていた情報と設定変更モードの第１状態において前記所定の操作手段の操作により前記所定の表示手段に表示されている情報が異なった状況下で電源断が発生し、その後、電源復帰後に、特定のエラーを検出していない状況下で前記所定の条件を満たしたときは、設定変更モードの第１状態に移行し、設定変更モードの第１状態に移行したときに前記所定の表示手段に表示される情報は、電源断前に前記所定の表示手段に表示されていた情報と同じ情報を表示可能とし、設定変更モードの第１状態に移行したときにおける前記所定の表示手段に表示されていた情報と設定変更モードの第１状態において前記所定の操作手段の操作により前記所定の表示手段に表示されている情報が異なった状況下で電源断が発生し、その後、電源復帰後に、前記特定のエラーを検出している状況下で前記所定の条件を満たしたときは、前記設定値情報記憶手段に記憶されている情報をクリアした後に設定変更モードの第１状態に移行し、設定変更モードの第１状態に移行したときは、前記設定値情報記憶手段に「０」が記憶され、前記所定の表示手段に「１」を示す情報を表示可能とするように構成することができる。
また、本発明に係る遊技機の変形例として、設定値が表示可能な表示手段と、設定値を記憶する記憶領域を有する記憶手段と、前記表示手段に設定値を表示させるためのセグメント表示テーブルと、を有し、所定の条件を満たした場合に、設定値が変更可能な設定値変更モードに移行し、設定値変更モードでは、設定変更ボタンが操作されたことに基づいて、前記記憶手段の設定値を「０」〜「Ｎ」（但し、Ｎは１以上の整数）の範囲内で更新し、所定の処理を実行する割込処理において、前記セグメント表示テーブルの先頭アドレスを基準とし、前記記憶手段に記憶されている設定値に「１」を加算した値をオフセット値とすることにより前記セグメント表示テーブルの所定のアドレスからセグメント情報を取得し、取得したセグメント情報に基づいて前記表示手段に設定を表示可能とするように構成することができる。
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に配された少なくとも１つの入球口と、
前記入球口への入球に基づいて判定情報を取得する判定情報取得手段と、
前記判定情報取得手段により取得された判定情報に基づいて少なくとも大当たりであるかの当たり判定を行う当たり判定手段と、
前記当たり判定手段による当たり判定が大当たり当選である場合に、当選した大当たりの種別を設定する大当たり種別設定手段と、
前記当たり判定手段により当たり判定が行われるとその判定結果を示す識別図柄の変動表示の時間を決定する変動時間決定手段と、
前記識別図柄を変動表示したあと停止表示する識別図柄表示手段と、
前記識別図柄表示手段により大当たり当選を示す大当たり停止態様にて前記識別図柄が停止表示されたあと、遊技者に有利な大当たり遊技を行う大当たり遊技実行手段と、
通常確率状態又は前記通常確率状態よりも前記当たり判定手段により大当たり当選であると判定される確率が高い高確率状態に制御可能であると共に、
非時短状態又は前記非時短状態よりも前記変動時間決定手段により決定される前記識別図柄の変動表示の時間が短くなり易い時短状態に制御可能な遊技状態制御手段と、を備える遊技機において、
前記大当たり種別設定手段は、
前記大当たり遊技後の遊技状態が前記遊技状態制御手段により前記高確率状態且つ前記時短状態（以下「高確時短状態」という）に制御され得る高確時短大当たりと、前記大当たり遊技後の遊技状態が前記遊技状態制御手段により前記高確率状態且つ前記非時短状態（以下「高確非時短状態」という）に制御され得る高確非時短大当たりに少なくとも設定可能なものであり、
前記高確時短大当たりには、
当該高確時短大当たりの当選に基づく前記大当たり遊技後の遊技状態が前記高確時短状態に制御されてから前記識別図柄の変動表示が所定の上限回数にわたって実行されると、前記遊技状態制御手段により前記高確非時短状態に制御されることになる高確時短制限有り大当たりが少なくともあり、
前記高確非時短状態に制御されてから遊技者に付与される特典は、前記高確時短状態に制御されてから遊技者に付与される特典よりも多くなり易いように設定されていることを特徴とする遊技機。
【手続補正２】
【補正対象書類名】明細書
【補正対象項目名】０００８
【補正方法】変更
【補正の内容】
【０００８】
本発明の遊技機は、
遊技球が流下可能な遊技領域に配された少なくとも１つの入球口と、
前記入球口への入球に基づいて判定情報を取得する判定情報取得手段と、
前記判定情報取得手段により取得された判定情報に基づいて少なくとも大当たりであるかの当たり判定を行う当たり判定手段と、
前記当たり判定手段による当たり判定が大当たり当選である場合に、当選した大当たりの種別を設定する大当たり種別設定手段と、
前記当たり判定手段により当たり判定が行われるとその判定結果を示す識別図柄の変動表示の時間を決定する変動時間決定手段と、
前記識別図柄を変動表示したあと停止表示する識別図柄表示手段と、
前記識別図柄表示手段により大当たり当選を示す大当たり停止態様にて前記識別図柄が停止表示されたあと、遊技者に有利な大当たり遊技を行う大当たり遊技実行手段と、
通常確率状態又は前記通常確率状態よりも前記当たり判定手段により大当たり当選であると判定される確率が高い高確率状態に制御可能であると共に、
非時短状態又は前記非時短状態よりも前記変動時間決定手段により決定される前記識別図柄の変動表示の時間が短くなり易い時短状態に制御可能な遊技状態制御手段と、を備える遊技機において、
前記大当たり種別設定手段は、
前記大当たり遊技後の遊技状態が前記遊技状態制御手段により前記高確率状態且つ前記時短状態（以下「高確時短状態」という）に制御され得る高確時短大当たりと、前記大当たり遊技後の遊技状態が前記遊技状態制御手段により前記高確率状態且つ前記非時短状態（以下「高確非時短状態」という）に制御され得る高確非時短大当たりに少なくとも設定可能なものであり、
前記高確時短大当たりには、
当該高確時短大当たりの当選に基づく前記大当たり遊技後の遊技状態が前記高確時短状態に制御されてから前記識別図柄の変動表示が所定の上限回数にわたって実行されると、前記遊技状態制御手段により前記高確非時短状態に制御されることになる高確時短制限有り大当たりが少なくともあり、
前記高確非時短状態に制御されてから遊技者に付与される特典は、前記高確時短状態に制御されてから遊技者に付与される特典よりも多くなり易いように設定されていることを特徴とする遊技機である。
【手続補正書】
【提出日】令和1年9月21日(2019.9.21)
【手続補正１】
【補正対象書類名】特許請求の範囲
【補正対象項目名】全文
【補正方法】変更
【補正の内容】
【特許請求の範囲】
【請求項１】
所定条件の成立に基づいて行われる判定の結果が特定結果になることに基づいて、遊技者に所定の利益を付与し得る特別遊技が実行可能となる遊技機であって、
所定の演出画像を表示可能な画像表示手段と、
前記画像表示手段にて演出表示を実行可能な演出実行手段と、
を備え、
前記演出画像として、少なくとも第１演出画像と第２演出画像とを有し、
前記第１演出画像には、前記判定の結果を示す識別情報の変動表示と所定の背景表示とが含まれており、
前記演出表示の表示態様として、前記第２演出画像を表示せずに前記第１演出画像を表示する第１表示態様と、前記第１演出画像と前記第２演出画像の両方を表示する第２表示態様と、を有し、
前記演出実行手段は、
前記第１表示態様による演出表示の実行中であって前記識別情報の変動表示中に、該演出表示の表示態様を前記第２表示態様に変更する変更演出を実行可能であって、
前記変更演出後の第２表示態様による演出表示では、前記変更演出前の第１表示態様による演出表示で表示していた前記第１演出画像を前記第２演出画像よりも小さく表示するとともに、該第１演出画像に含まれる識別情報の変動表示および前記背景表示を継続して実行する
ことを特徴とする遊技機。
【手続補正２】
【補正対象書類名】明細書
【補正対象項目名】０００６
【補正方法】変更
【補正の内容】
【０００６】
前述の課題を解決するために、本発明は以下の構成を採用した。
すなわち、本発明の遊技機は、
所定条件の成立に基づいて行われる判定の結果が特定結果になることに基づいて、遊技者に所定の利益を付与し得る特別遊技が実行可能となる遊技機であって、
所定の演出画像を表示可能な画像表示手段と、
前記画像表示手段にて演出表示を実行可能な演出実行手段と、
を備え、
前記演出画像として、少なくとも第１演出画像と第２演出画像とを有し、
前記第１演出画像には、前記判定の結果を示す識別情報の変動表示と所定の背景表示とが含まれており、
前記演出表示の表示態様として、前記第２演出画像を表示せずに前記第１演出画像を表示する第１表示態様と、前記第１演出画像と前記第２演出画像の両方を表示する第２表示態様と、を有し、
前記演出実行手段は、
前記第１表示態様による演出表示の実行中であって前記識別情報の変動表示中に、該演出表示の表示態様を前記第２表示態様に変更する変更演出を実行可能であって、
前記変更演出後の第２表示態様による演出表示では、前記変更演出前の第１表示態様による演出表示で表示していた前記第１演出画像を前記第２演出画像よりも小さく表示するとともに、該第１演出画像に含まれる識別情報の変動表示および前記背景表示を継続して実行する
ことを特徴としている。
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
所定の表示手段と、
演出を制御可能な演出制御手段と、
遊技者が操作可能な操作手段と、を備える遊技機において、
前記演出制御手段は、
前記表示手段に表示する表示態様で所定の演出結果に対する期待度を示唆する期待度示唆演出を実行可能であり、
前記期待度示唆演出の実行中に、前記操作手段に対する操作に基づいて、当該期待度示唆演出の表示態様を段階的に変更可能であり、
前記期待度示唆演出の実行中に、当該期待度示唆演出の表示態様の少なくとも一部が一時的に表示されないように、前記表示手段に特定画像を一時的に表示可能であり、
前記特定画像が表示されているときに前記操作手段への操作を促す操作促進画像を前記表示手段に表示可能であることを特徴とする遊技機。
【請求項２】
請求項１に記載の遊技機において、
前記演出制御手段は、
前記特定画像と前記操作促進画像とが表示されているときに、前記操作手段に対する操作がなされても、当該特定画像の表示から前記期待度示唆演出の表示態様に切替えないことを特徴とする遊技機。
【手続補正２】
【補正対象書類名】明細書
【補正対象項目名】０００７
【補正方法】変更
【補正の内容】
【０００７】
本発明に係る遊技機は、
所定の表示手段と、
演出を制御可能な演出制御手段と、
遊技者が操作可能な操作手段と、を備える遊技機において、
前記演出制御手段は、
前記表示手段に表示する表示態様で所定の演出結果に対する期待度を示唆する期待度示唆演出を実行可能であり、
前記期待度示唆演出の実行中に、前記操作手段に対する操作に基づいて、当該期待度示唆演出の表示態様を段階的に変更可能であり、
前記期待度示唆演出の実行中に、当該期待度示唆演出の表示態様の少なくとも一部が一時的に表示されないように、前記表示手段に特定画像を一時的に表示可能であり、
前記特定画像が表示されているときに前記操作手段への操作を促す操作促進画像を前記表示手段に表示可能であることを特徴とする遊技機である。
【手続補正３】
【補正対象書類名】明細書
【補正対象項目名】０００８
【補正方法】削除
【補正の内容】
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
所定の表示手段と、
演出を制御可能な演出制御手段と、
遊技者が操作可能な操作手段と、を備える遊技機において、
前記演出制御手段は、
前記表示手段に表示する所定の表示物の数が多いほど所定の演出結果に対する期待度が高いことを示唆する期待度示唆演出を実行可能であり、
前記期待度示唆演出の実行中に、前記操作手段に対する操作に基づいて、前記表示物を増加して表示することが可能であり、
前記期待度示唆演出の実行中に、表示されている前記表示物の少なくとも一部が一時的に表示されないように、前記表示手段に特定画像を一時的に表示可能であり、
前記特定画像の表示中に前記操作手段に対する操作がなされても、表示されなくなった前記表示物を表示しないことを特徴とする遊技機。
【請求項２】
請求項１に記載の遊技機において、
前記演出制御手段は、
前記特定画像が表示されたことに基づいて、当該特定画像が表示されなくなった後に前記表示物を増加して表示することが可能であることを特徴とする遊技機。
【手続補正２】
【補正対象書類名】明細書
【補正対象項目名】０００７
【補正方法】変更
【補正の内容】
【０００７】
本発明に係る遊技機は、
所定の表示手段と、
演出を制御可能な演出制御手段と、
遊技者が操作可能な操作手段と、を備える遊技機において、
前記演出制御手段は、
前記表示手段に表示する所定の表示物の数が多いほど所定の演出結果に対する期待度が高いことを示唆する期待度示唆演出を実行可能であり、
前記期待度示唆演出の実行中に、前記操作手段に対する操作に基づいて、前記表示物を増加して表示することが可能であり、
前記期待度示唆演出の実行中に、表示されている前記表示物の少なくとも一部が一時的に表示されないように、前記表示手段に特定画像を一時的に表示可能であり、
前記特定画像の表示中に前記操作手段に対する操作がなされても、表示されなくなった前記表示物を表示しないことを特徴とする遊技機である。
【手続補正３】
【補正対象書類名】明細書
【補正対象項目名】０００８
【補正方法】削除
【補正の内容】
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
所定の表示手段と、
演出を制御可能な演出制御手段と、
遊技者が操作可能な操作手段と、を備える遊技機において、
前記演出制御手段は、
前記表示手段に表示する表示態様で所定の演出結果に対する期待度を示唆する期待度示唆演出を実行可能であり、
前記期待度示唆演出の実行中に、前記操作手段に対する操作に基づいて、当該期待度示唆演出の表示態様を段階的に変更可能であり、
前記期待度示唆演出の実行中に、当該期待度示唆演出の表示態様の少なくとも一部が一時的に表示されないように、前記表示手段に特定画像を予め定められた特定時間だけ表示可能であり、
前記期待度示唆演出の実行中で前記特定画像が表示された場合、前記特定時間が経過するまでは、前記操作手段に対する操作がなされても前記特定画像の表示を当該期待度示唆演出の表示態様に切替えない一方、前記操作手段に対する操作に基づいて当該操作手段が操作されたことを示唆する操作示唆演出を実行可能であることを特徴とする遊技機。 
【手続補正２】
【補正対象書類名】明細書
【補正対象項目名】０００７
【補正方法】変更
【補正の内容】
【０００７】
本発明に係る遊技機は、
所定の表示手段と、
演出を制御可能な演出制御手段と、
遊技者が操作可能な操作手段と、を備える遊技機において、
前記演出制御手段は、
前記表示手段に表示する表示態様で所定の演出結果に対する期待度を示唆する期待度示唆演出を実行可能であり、
前記期待度示唆演出の実行中に、前記操作手段に対する操作に基づいて、当該期待度示唆演出の表示態様を段階的に変更可能であり、
前記期待度示唆演出の実行中に、当該期待度示唆演出の表示態様の少なくとも一部が一時的に表示されないように、前記表示手段に特定画像を予め定められた特定時間だけ表示可能であり、
前記期待度示唆演出の実行中で前記特定画像が表示された場合、前記特定時間が経過するまでは、前記操作手段に対する操作がなされても前記特定画像の表示を当該期待度示唆演出の表示態様に切替えない一方、前記操作手段に対する操作に基づいて当該操作手段が操作されたことを示唆する操作示唆演出を実行可能であることを特徴とする遊技機である。 
【手続補正３】
【補正対象書類名】明細書
【補正対象項目名】０００８
【補正方法】削除
【補正の内容】
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
映像を照射可能な照射手段と、
前記照射手段により照射される映像の一部が投影される第１被投影手段と、
前記第１被投影手段の前記照射手段側に設けられ、前記照射手段により照射される映像の他の一部を投影可能な第２被投影手段と、
前記第１被投影手段と前記第２被投影手段との間に設けられ、前記映像の他の一部を前記第２被投影手段に向けて反射可能な反射可能位置に移動可能であって、前記反射可能位置において前記映像の他の一部を前記第２被投影手段に向けて反射可能な反射手段とを備えたことを特徴とする遊技機。
【請求項２】
前記反射手段は、前記反射可能位置と、前記第１被投影手段のうち、前記第２被投影手段と対向する部分の少なくとも一部が遊技者から視認可能となる視認可能位置との間を移動可能に形成され、
前記第２被投影手段は、透明又は不透明に切り換え可能に形成され、
前記反射手段が前記反射可能位置にある場合に前記第２被投影手段を不透明とする切替手段を備えたことを特徴とする請求項１に記載の遊技機。
【請求項３】
前記第２被投影手段は、前記照射手段により照射される前記映像の他の一部を投影可能な投影位置と、前記照射手段により照射される前記映像の他の一部を投影不可能な非投影位置との間を移動可能に形成されることを特徴とする請求項１に記載の遊技機。
【請求項４】
前記反射手段は、前記映像の他の一部を前記第２被投影手段に向けて反射可能な反射可能位置と、前記第１被投影手段のうち、前記第２被投影手段と対向する部分の少なくとも一部が遊技者から視認可能となる視認可能位置との間を移動可能に形成されることを特徴とする請求項１又は３に記載の遊技機。
【請求項５】
前記第２被投影手段は、当該第２被投影手段の遊技者側に位置入力装置を有する静電容量式のタッチパネルを備えており、
前記第２被投影手段に投影される前記映像の他の一部と前記タッチパネルの操作とに関連性を有する演出が実行されることを特徴とする請求項１又は２に記載の遊技機。
【請求項６】
前記第２被投影手段の遊技者側に位置入力装置を有する静電容量式のタッチパネルを備え、
前記第２被投影手段に投影される前記映像の他の一部と前記タッチパネルの操作とに関連性を有する演出が実行されることを特徴とする請求項１、２、３又は４に記載の遊技機。
【請求項７】
前記映像の他の一部が前記反射手段により前記第２被投影手段に向けて反射された場合、当該第２被投影手段には遊技に関する説明情報が投影されることを特徴とする請求項１、２、３、４、５又は６に記載の遊技機。
【請求項８】
複数の図柄を変動表示可能な複数の回転リールと、
遊技者の操作により前記回転リールの図柄の変動表示を開始させるためのスタートスイッチと、
前記複数の回転リールの各々に対応して設けられ、前記複数の回転リールの図柄の変動表示の開始後、遊技者の操作により前記回転リールの図柄の変動表示を個別に停止させるための複数のストップスイッチとを備え、
前記説明情報は、前記ストップスイッチの停止操作順序を示す情報であることを特徴とする請求項７に記載の遊技機。
【手続補正２】
【補正対象書類名】明細書
【補正対象項目名】０００７
【補正方法】変更
【補正の内容】
【０００７】
上記課題を解決するために、本発明は、以下のような構成を備える。
本発明に係る遊技機10は、映像を照射可能な照射手段110と、前記照射手段110により照射される映像の一部が投影される第１被投影手段120と、前記第１被投影手段120の前記照射手段側110に設けられ、前記照射手段110により照射される映像の他の一部を投影可能な第２被投影手段130と、前記第１被投影手段120と前記第２被投影手段130との間に設けられ、前記映像の他の一部を前記第２被投影手段130に向けて反射可能な反射可能位置に移動可能であって、前記反射可能位置において前記映像の他の一部を前記第２被投影手段130に向けて反射可能な反射手段140とを備えたことを特徴とする。
【手続補正３】
【補正対象書類名】明細書
【補正対象項目名】００１０
【補正方法】変更
【補正の内容】
【００１０】
また、本発明に係る遊技機10の具体例としては、さらに、前記反射手段140は、前記反射可能位置と、前記第１被投影手段120のうち、前記第２被投影手段130と対向する部分の少なくとも一部が遊技者から視認可能となる視認可能位置との間を移動可能に形成され、前記第２被投影手段130は、透明又は不透明に切り換え可能に形成され、前記反射手段140が前記反射可能位置にある場合に前記第２被投影手段130を不透明とする切替手段530を備えたことを特徴とする。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が前面に形成されている透明遊技板と、
前記遊技領域の外周の少なくとも一部を区画する外周区画部材と、
前記透明遊技板の裏側に設けられる裏装飾部と、備え、
前記外周区画部材は、透過性を有する部材で構成され、
透過性を有する前記外周区画部材の後方に前記裏装飾部を位置させることで、該外周区画部材が配置されている領域を前記裏装飾部によって装飾可能にした
ことを特徴とする遊技機。
【請求項２】
遊技球が流下可能な遊技領域が前面に形成されている透明遊技板と、
前記遊技領域に発射された遊技球の発射経路を構成するレール部材と、
前記透明遊技板の裏側に設けられる裏装飾部と、備え、
前記レール部材は、透過性を有する部材で構成され、
透過性を有する前記レール部材の後方に前記裏装飾部を位置させることで、該レール部材が配置されている領域を前記裏装飾部によって装飾可能にした
ことを特徴とする遊技機。
【手続補正２】
【補正対象書類名】明細書
【補正対象項目名】０００６
【補正方法】変更
【補正の内容】
【０００６】
そこで、本発明は、上記の実情に鑑み、従来に比して装飾を楽しませることで遊技者の興趣の低下を抑制させることが可能な遊技機の提供を課題とするものである。
【手続補正３】
【補正対象書類名】明細書
【補正対象項目名】０００７
【補正方法】変更
【補正の内容】
【０００７】
本発明は、
遊技球が流下可能な遊技領域が前面に形成されている透明遊技板と、
前記遊技領域の外周の少なくとも一部を区画する外周区画部材と、
前記透明遊技板の裏側に設けられる裏装飾部と、備え、
前記外周区画部材は、透過性を有する部材で構成され、
透過性を有する前記外周区画部材の後方に前記裏装飾部を位置させることで、該外周区画部材が配置されている領域を前記裏装飾部によって装飾可能にした
ことを特徴とする。
また、本発明は、
遊技球が流下可能な遊技領域が前面に形成されている透明遊技板と、
前記遊技領域に発射された遊技球の発射経路を構成するレール部材と、
前記透明遊技板の裏側に設けられる裏装飾部と、備え、
前記レール部材は、透過性を有する部材で構成され、
透過性を有する前記レール部材の後方に前記裏装飾部を位置させることで、該レール部材が配置されている領域を前記裏装飾部によって装飾可能にした
ことを特徴とする。
また、本発明とは別の発明として、以下の手段を参考的に開示する。
手段１：遊技機において、
「遊技が行われる遊技領域が前面に形成されている透明平板状のパネル板と、
前記遊技領域の外周の少なくとも一部を区画する透光性を有した前構成部材と、
該前構成部材の後側に設けられ、前記パネル板の外周を保持するパネルホルダと、
該パネルホルダに設けられており、前記パネル板の側面に光を入射可能な発光手段が実装されているパネル装飾基板と、
前記パネル板の後面に形成されており、前方から常時視認することができると共に、前記発光手段により前記パネル板の側面から入射された光を前方へ反射させて該パネル板の後面を発光装飾する装飾パターンと
を具備している」ものであることを特徴とする。
【手続補正４】
【補正対象書類名】明細書
【補正対象項目名】０１１１
【補正方法】変更
【補正の内容】
【０１１１】
このように、本発明によれば、従来に比して装飾を楽しませることで遊技者の興趣の低下を抑制させることが可能な遊技機を提供することができる。
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
液体含有物が投入されるろ過筒と、
前記ろ過筒内で、該ろ過筒と同心状に配置され、前記液体含有物を所定の移送方向に移送する第１スクリューおよび第２スクリューと、
前記第１スクリューを回転させる第１回転機構と、
前記第１スクリューとは独立に前記第２スクリューを回転させる第２回転機構と、を備え、
前記第２スクリューは、前記移送方向において前記第１スクリューの下流側に配置されており、
前記第１スクリューは、円錐台形状の第１スクリュー軸と、該第１スクリュー軸の外面に固定された第１スクリュー羽根とを有し、
前記第２スクリューは、円筒形状の第２スクリュー軸と、該第２スクリュー軸の外面に固定された第２スクリュー羽根とを有し、
前記第２回転機構は、前記第２スクリューを前記第１スクリューとは異なる回転速度で回転させることが可能であり、
前記第２スクリュー羽根の巻数は、３巻未満であることを特徴とするスクリュープレス。
【請求項２】
前記第２スクリュー羽根の巻数は、２巻き以上であることを特徴とする請求項１に記載のスクリュープレス。
【請求項３】
液体含有物が投入されるろ過筒と、
前記ろ過筒内で、該ろ過筒と同心状に配置され、前記液体含有物を所定の移送方向に移送する第１スクリューおよび第２スクリューと、
前記第１スクリューを回転させる第１回転機構と、
前記第１スクリューとは独立に前記第２スクリューを回転させる第２回転機構と、を備え、
前記第２スクリューは、前記移送方向において前記第１スクリューの下流側に配置されており、
前記第１スクリューは、円錐台形状の第１スクリュー軸と、該第１スクリュー軸の外面に固定された第１スクリュー羽根とを有し、
前記第２スクリューは、円筒形状の第２スクリュー軸と、該第２スクリュー軸の外面に固定された第２スクリュー羽根とを有し、
前記第２回転機構は、前記第２スクリューを前記第１スクリューとは異なる回転速度で回転させることが可能であり、
前記第２スクリュー羽根の巻き方向は、前記第１スクリュー羽根の巻き方向とは逆であることを特徴とするスクリュープレス。
【請求項４】
前記第２スクリュー羽根のピッチは、前記第１スクリュー羽根のピッチよりも小さいことを特徴とする請求項１乃至３のいずれか一項に記載のスクリュープレス。
【請求項５】
前記第２回転機構は、前記第２スクリューの回転方向を前記第１スクリューの回転方向に対して同方向または逆方向に切り替え可能であるように構成されていることを特徴とする請求項１乃至３のいずれか一項に記載のスクリュープレス。
【請求項６】
前記第２回転機構は、前記第２スクリューを回転させるための駆動機と、前記駆動機の電流および／またはトルクを検出可能な検出器と、を有しており、
前記第２スクリューの回転方向は、前記駆動機の電流および／またはトルクに基づいて切り替えられることを特徴とする請求項５に記載のスクリュープレス。
【請求項７】
請求項１乃至６のいずれか一項に記載のスクリュープレスの運転方法であって、
前記第２スクリューを回転させずに、前記第１スクリューを回転させることにより、前記ろ過筒内の前記液体含有物を前記第２スクリューに移送して、前記第２スクリュー軸の周りにプラグケーキを形成し、
前記プラグケーキが形成された後で、前記第２スクリューを回転させて、前記ろ過筒からプラグケーキを排出することを特徴とする運転方法。
【手続補正２】
【補正対象書類名】明細書
【補正対象項目名】００１５
【補正方法】変更
【補正の内容】
【００１５】
本発明の好ましい態様は、前記第２スクリュー羽根のピッチは、前記第１スクリュー羽根のピッチよりも小さいことを特徴とする。
本発明の一参考例は、前記第２スクリューの上流側での第２スクリュー羽根のピッチは、前記第２スクリューの下流側での第２スクリュー羽根のピッチよりも大きいことを特徴とする。
本発明の好ましい態様は、前記第２回転機構は、前記第２スクリューの回転方向を前記第１スクリューの回転方向に対して同方向または逆方向に切り替え可能であるように構成されていることを特徴とする。
本発明の好ましい態様は、前記第２回転機構は、前記第２スクリューを回転させるための駆動機と、前記駆動機の電流および／またはトルクを検出可能な検出器と、を有しており、前記第２スクリューの回転方向は、前記駆動機の電流および／またはトルクに基づいて切り替えられることを特徴とする。
【手続補正３】
【補正対象書類名】明細書
【補正対象項目名】００１７
【補正方法】変更
【補正の内容】
【００１７】
本発明の一参考例は、前記第２スクリューの回転速度を変更することにより、前記プラグケーキの排出量を調整することを特徴とする。
本発明の一参考例は、前記第２スクリューの回転と停止とを交互に繰り返す間欠運転を行うことにより、前記第１スクリューにより圧搾される前記液体含有物に加えられる背圧を調整することを特徴とする。
本発明の一参考例は、前記第２スクリューの回転方向を変更することにより、前記第１スクリューにより圧搾される前記液体含有物に加えられる背圧を調整することを特徴とする。
本発明の一参考例は、前記第２スクリューの回転方向は、前記第２駆動機構の駆動機の電流および／またはトルクに基づいて変更されることを特徴とする。
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
工具ハウジングと、
前記工具ハウジングの内部に固定されたトリガースイッチと、
を備え、
前記工具ハウジングが、その内部に、前記トリガースイッチを固定するトリガースイッチ固定部を有し、
前記トリガースイッチ固定部に、前記トリガースイッチとの間に介在する制振用弾性体が設けられており、
前記トリガースイッチが、
前記工具ハウジング内に固定されると共に、内部に収容部を有するスイッチハウジングと、
前記スイッチハウジングの外部に設けられかつ前記スイッチハウジングに対して接近および開離可能に連結されたトリガーと、
前記収容部内に設けられている固定接点と、
前記収容部内で前記固定接点に対向するように設けられていると共に、前記スイッチハウジングに対する前記トリガーの接近動作および開離動作に連動して前記固定接点に接触および開離する可動接点と、
を有し、
前記可動接点が前記固定接点に対して接触および開離する接離方向に直交する方向沿いの平面視における前記制振用弾性体の面積が、前記接離方向沿いの平面視における前記制振用弾性体の面積よりも大きい、電動工具。
【請求項２】
前記制振用弾性体が、前記工具ハウジングに一体に設けられている、請求項１に記載の電動工具。
【請求項３】
前記制振用弾性体が、複数の弾性層を含む積層構造を有している、請求項１又は２に記載の電動工具。
【請求項４】
前記制振用弾性体が、エラストマーである、請求項１〜３のいずれか１つに記載の電動工具。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
複数のリンクと、
前記複数のリンク間を接続する関節と、
前記関節の状態を検出するセンサと、
前記センサの出力情報を記録するログ記録装置と、
前記関節に電力が供給されていない状態において電池の電力を前記センサおよび前記ログ記録装置に給電する電池部と、
を備えたロボットアーム。
【請求項２】
請求項１に記載のロボットアームにおいて、前記ログ記録装置が、前記センサの出力値を計時情報と関連づけて記録する記憶装置を備えたロボットアーム。
【請求項３】
請求項１または２に記載のロボットアームにおいて、前記ロボットアームの関節を制御する制御部を備えたロボット制御装置からロボットアームが切り離された状態において、前記ログ記録装置が、前記電池部の給電によって、前記センサの出力情報を記録するロボットアーム。
【請求項４】
請求項１から３のいずれか１項に記載のロボットアームにおいて、前記センサが、前記関節の関節角度を検出するエンコーダであるロボットアーム。
【請求項５】
請求項１から３のいずれか１項に記載のロボットアームにおいて、前記センサが、前記関節に働く力を検出する力センサであるロボットアーム。
【請求項６】
請求項１から５のいずれか１項に記載のロボットアームと接続され、前記ロボットアームの関節の動作を制御する制御部と、前記ログ記録装置が記録したログ情報を取得するログ取得装置と、を備えたロボット制御装置。
【請求項７】
請求項６に記載のロボット制御装置において、前記制御部が前記ログ取得装置によって取得したログ情報に応じて、前記ロボットアームの診断情報を生成するロボット制御装置。
【請求項８】
請求項１から５のいずれか１項に記載のロボットアームの前記ログ記録装置に前記センサの出力情報を記録させるロボットアームの制御プログラム。
【請求項９】
請求項７に記載のロボット制御装置の前記制御部に前記ロボットアームの診断情報を生成させるロボット制御装置の制御プログラム。
【請求項１０】
請求項８または９に記載の制御プログラムを格納したコンピュータ読み取り可能な記録媒体。
【請求項１１】
複数のリンクと、前記複数のリンク間を接続する関節と、前記関節の状態を検出するセンサと、前記センサの出力情報を記録するログ記録装置と、前記関節に電力が供給されていない状態において電池の電力を前記センサおよび前記ログ記録装置に給電する電池部と、を備えたロボットアームと、
前記ロボットアームの関節を制御する制御部と、前記ログ記録装置が記録したログ情報を取得するログ取得装置と、を備えたロボット制御装置と、
を備えたロボットシステム。
【請求項１２】
請求項１１に記載のロボットシステムにおいて、前記制御部が前記ログ取得装置によって取得したログ情報に応じて、前記ロボットアームの診断情報を生成し、前記診断情報に基づいて、ロボットアーム診断を行うロボットシステム。
【請求項１３】
請求項１１または１２に記載のロボットシステムにおいて、前記ログ記録装置が、前記センサの出力値を計時情報と関連づけて記録する記憶装置を備えたロボットシステム。
【請求項１４】
請求項１１から１３のいずれか１項に記載のロボットシステムにおいて、前記ロボット制御装置からロボットアームが切り離された状態において、前記ログ記録装置が、前記電池部の給電によって、前記センサの出力情報を記録するログ記録動作を行うロボットシステム。
【請求項１５】
請求項１１から１４のいずれか１項に記載のロボットシステムにおいて、前記センサが、前記関節の関節角度を検出するエンコーダであるロボットシステム。
【請求項１６】
請求項１１から１４のいずれか１項に記載のロボットシステムにおいて、前記センサが、前記関節に働く力を検出する力センサであるロボットシステム。
【手続補正２】
【補正対象書類名】明細書
【補正対象項目名】００１０
【補正方法】変更
【補正の内容】
【００１０】
上記課題を解決するため、本発明、特にそのロボットアームの構成においては、複数のリンクと、前記複数のリンク間を接続する関節と、前記関節の状態を検出するセンサと、
前記センサの出力情報を記録するログ記録装置と、前記関節に電力が供給されていない状態において電池の電力を前記センサおよび前記ログ記録装置に給電する電池部と、を備えた構成を採用した。
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
液体を吐出するノズルを備える吐出ヘッドと、
可撓性部材によって、前記吐出ヘッドへ供給される液体を収容する第一収容空間と、作動液を収容する第二収容空間とに区画される第一液体収容部と、
前記第二収容空間と連通し、液面が前記吐出ヘッドより低くなるように作動液を収容する第二液体収容部と、
前記第二液体収容部において、作動液と接し、気体を収容する気体室と、を備え、前記ノズルの内部を大気圧に対して負圧に維持する液体吐出装置であって、
前記気体室に気体を供給し、前記ノズルの内部を前記大気圧に対して正圧に切り替える正圧切替手段を備えることを特徴とする液体吐出装置。
【請求項２】
前記正圧切替手段は、
前記気体室と連通する流路と、
前記流路に気体を供給して前記正圧に切り替える加圧切替弁と、を備えることを特徴とする請求項１に記載の液体吐出装置。
【請求項３】
前記気体室と大気とを連通状態と非連通状態とで切り替える連通切替手段を備えることを特徴とする請求項１または２に記載の液体吐出装置。
【請求項４】
前記正圧切替手段と前記連通切替手段を制御する制御手段を備え、
前記制御手段は、前記吐出ヘッドから液体を強制的に排出させる場合に、前記連通切替手段で前記気体室と大気とを前記非連通状態にして、前記正圧切替手段によって前記気体室に気体を供給させることを特徴とする請求項３に記載の液体吐出装置。
【請求項５】
前記第二液体収容部に作動液を供給し、前記第二液体収容部の前記液面を調整する液体供給手段を備えることを特徴とする請求項１ないし４の何れか１項に記載の液体吐出装置。
【請求項６】
大気と連通する連通孔が配され、前記第二液体収容部に供給する作動液と気体を収容する第三液体収容部と、
前記気体室と前記第三液体収容部とを連通状態と非連通状態とで切り替える連通手段とを備える請求項１または２に記載の液体吐出装置。
【請求項７】
前記吐出ヘッドの異常を検出するセンサを備え、
前記センサで前記吐出ヘッドの異常を検出した後に、前記正圧切替手段で前記正圧に切り替えることを特徴とする請求項１ないし６の何れか１項に記載の液体吐出装置。
【請求項８】
請求項１ないし７の何れか１に記載の液体吐出装置を備え、
前記ノズルによって基板に液体を吐出させることを特徴とするインプリント装置。
【手続補正２】
【補正対象書類名】明細書
【補正対象項目名】０００９
【補正方法】変更
【補正の内容】
【０００９】
本発明によれば、例えば、
液体を吐出するノズルを備える吐出ヘッドと、
可撓性部材によって、前記吐出ヘッドへ供給される液体を収容する第一収容空間と、作動液を収容する第二収容空間とに区画される第一液体収容部と、
前記第二収容空間と連通し、液面が前記吐出ヘッドより低くなるように作動液を収容する第二液体収容部と、
前記第二液体収容部において、作動液と接し、気体を収容する気体室と、を備え、前記ノズルの内部を大気圧に対して負圧に維持する液体吐出装置であって、
前記気体室に気体を供給し、前記ノズルの内部を前記大気圧に対して正圧に切り替える正圧切替手段を備えることを特徴とする液体吐出装置が提供される。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
所定の遊技媒体を用いて遊技を行うことが可能な遊技機であって、
前記遊技の状況に応じて所定の演出を実行可能な演出実行手段と、
所定の駆動源の駆動によって動作可能な可動演出手段と、
前記可動演出手段の動作のオンオフを外部からの入力に基づいて設定可能な設定手段と、を備え、
前記演出実行手段は、前記可動演出手段の動作を含まない特定演出を実行可能であり、
前記可動演出手段の動作がオフに設定されると、前記可動演出手段の動作がオンに設定されている場合に比べ前記特定演出の実行可能性が高くなる
ことを特徴とする遊技機。
【請求項２】
前記可動演出手段を複数備え、
前記複数の可動演出手段のうち所定の一の可動演出手段の動作がオフに設定されると、該一の可動演出手段の動作がオンに設定されている場合に比べ前記特定演出の実行可能性が高くなる
ことを特徴とする請求項１に記載の遊技機。
【請求項３】
所定の判定を実行可能な判定手段と、
前記判定手段による判定の結果が特定結果となることに基づいて、遊技者にとって有利な特別遊技を実行可能な特別遊技実行手段と、を備え、
前記演出実行手段は、前記判定手段による判定の結果に基づいて演出を実行可能であり、
前記特定演出は、前記判定の結果が前記特定結果である場合にのみ実行可能な演出である
ことを特徴とする請求項１又は２に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
すなわち、本発明の遊技機は、
（１）所定の遊技媒体を用いて遊技を行うことが可能な遊技機であって、
前記遊技の状況に応じて所定の演出を実行可能な演出実行手段と、
所定の駆動源の駆動によって動作可能な可動演出手段と、
前記可動演出手段の動作のオンオフを外部からの入力に基づいて設定可能な設定手段と、を備え、
前記演出実行手段は、前記可動演出手段の動作を含まない特定演出を実行可能であり、
前記可動演出手段の動作がオフに設定されると、前記可動演出手段の動作がオンに設定されている場合に比べ前記特定演出の実行可能性が高くなる
ことを特徴としている。
（２）また、上記（１）の遊技機において、
前記可動演出手段を複数備え、
前記複数の可動演出手段のうち所定の一の可動演出手段の動作がオフに設定されると、該一の可動演出手段の動作がオンに設定されている場合に比べ前記特定演出の実行可能性が高くなる
こととしてもよい。
（３）さらに、上記（１）又は（２）の遊技機において、
所定の判定を実行可能な判定手段と、
前記判定手段による判定の結果が特定結果となることに基づいて、遊技者にとって有利な特別遊技を実行可能な特別遊技実行手段と、を備え、
前記演出実行手段は、前記判定手段による判定の結果に基づいて演出を実行可能であり、
前記特定演出は、前記判定の結果が前記特定結果である場合にのみ実行可能な演出である
こととしてもよい。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
金属箔の少なくとも片面において、金属箔と樹脂層の合わせ面の一部を除く領域に接着剤を塗布し、接着剤が塗布されない接着剤未塗布部を形成した状態で金属箔と樹脂層とを貼り合わせてラミネート材を作製する貼り合わせ工程と、
前記接着剤未塗布部を合いマークとしてその位置を検知する検知工程と、
検知した合いマークの位置に基づいてラミネート材を加工する加工工程と
を行うことを特徴とするラミネート材の加工方法。
【請求項２】
前記貼り合わせ工程において、周面に凹凸部を有するロールを用いて接着剤を塗布し、凸部形状に対応する接着剤未塗布部分を形成する請求項１に記載のラミネート材の加工方法。
【請求項３】
前記貼り合わせ工程において、金属箔の一方の面に耐熱性樹脂層を貼り合わせるとともに他方の面に熱融着性樹脂層を貼り合わせ、少なくともどちらかの面に合いマークを形成する請求項１または２に記載のラミネート材の加工方法。
【請求項４】
前記検知工程において、合いマークの検知を画像解析によって行う請求項１〜３のうちのいずれか１項に記載のラミネート材の加工方法。
【請求項５】
前記加工工程において、検知した合いマークの位置に基づいてその合いマーク上の樹脂層を切除する請求項１〜４のうちのいずれか１項に記載のラミネート材の加工方法。
【請求項６】
前記貼り合わせ工程において、合いマーク用接着剤未塗布部とは別の接着剤未塗布部を形成し、
前記加工工程において、検知した合いマークの位置に基づいて前記別の接着剤未塗布部上の樹脂層を切除する請求項１〜４のうちのいずれか１項に記載のラミネート材の加工方法。
【請求項７】
前記加工工程において、検知した合いマークの位置に基づいてラミネート材の耳部を切り落とす請求項１〜６のうちのいずれか１項に記載のラミネート材の加工方法。
【請求項８】
前記加工工程において、合いマークの位置に基づいてラミネート材に絞り加工を施す請求項１〜６のうちのいずれか１項に記載のラミネート材の加工方法。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
熱膨張層を一面側に形成した熱膨張性シートの前記一面側に印刷される第１の画像成分と、前記熱膨張性シートの他面側に印刷される第２の画像成分と、を表示手段に画像として表示する表示制御手段と、
前記熱膨張性シートの熱膨張層を膨張させる熱膨張レベルを、前記第１の画像成分および前記第２の画像成分の少なくとも一方の画像成分に設定する設定手段と、を備え、
前記表示制御手段は、前記少なくとも一方の画像成分に前記設定手段により設定された熱膨張レベルを対応付けて図形的に表現すると共に、前記第１の画像成分と前記第２の画像成分とで、前記図形的な表現方法を異ならせることを特徴とする立体造形物製造システム。
【請求項２】
表面に熱膨張層を形成した熱膨張性シートの表面への光照射により前記熱膨張層を隆起させるための第１の画像成分と、前記熱膨張性シートの裏面への光照射により前記熱膨張層を隆起させるための第２の画像成分と、を表示手段に画像として表示する表示制御手段と、
前記熱膨張性シートの熱膨張層を隆起させる隆起レベルを、前記第１の画像成分および前記第２の画像成分の少なくとも一方の画像成分に設定する設定手段と、を備え、
前記表示制御手段は、前記少なくとも一方の画像成分に前記設定手段により設定された隆起レベルを対応付けて図形的に表現すると共に、前記第１の画像成分と前記第２の画像成分とで、前記図形的な表現方法を異ならせることを特徴とする立体造形物製造システム。
【請求項３】
コンピュータを、
熱膨張層を一面側に形成した熱膨張性シートの前記一面側に印刷される第１の画像成分、および前記熱膨張性シートの他面側に印刷される第２の画像成分、の少なくとも一方の画像成分に、前記熱膨張層を膨張させる熱膨張レベルを設定する設定手段、
前記少なくとも一方の画像成分に前記設定手段により設定された熱膨張レベルを対応付けて図形的に表現すると共に、前記第１の画像成分と前記第２の画像成分とを、前記図形的な表現方法を互いに異ならせて、表示手段に画像として表示する表示制御手段、
として機能させるためのプログラム。
【請求項４】
コンピュータを、
表面に熱膨張層を形成した熱膨張性シートの表面への光照射により前記熱膨張層を隆起させるための第１の画像成分、および前記熱膨張性シートの裏面への光照射により前記熱膨張層を隆起させるための第２の画像成分、の少なくとも一方の画像成分に、前記熱膨張層を隆起させる隆起レベルを設定する設定手段、
前記少なくとも一方の画像成分に前記設定手段により設定された隆起レベルを対応付けて図形的に表現すると共に、前記第１の画像成分と前記第２の画像成分とを、前記図形的な表現方法を互いに異ならせて、表示手段に画像として表示する表示制御手段、
として機能させるためのプログラム。
【請求項５】
熱により膨張する熱膨張性シートを膨張させる画像のパーツが、熱膨張層を一面側に形成した熱膨張性シートの前記一面側に印刷される第１の画像成分と、前記熱膨張性シートの他面側に印刷される第２の画像成分のいずれかに割り当てられているかを判定する判定処理と、
前記パーツが所定の第１パーツである場合、前記熱膨張層を膨張させる熱膨張レベルに対応させて前記第１の画像成分に追加する第１の追加処理と、
前記第１の画像成分に前記熱膨張レベルを対応付けて図形的に表現する第１の表現処理と、
前記パーツが所定の第２パーツである場合、前記熱膨張層を膨張させる熱膨張レベルに対応させて前記第２の画像成分に追加する第２の追加処理と、
前記第２の画像成分に前記熱膨張レベルを対応付けて図形的に表現する第２の表現処理と、
前記第１の表現処理による前記図形的な表現方法と、前記第２の表現処理による前記図形的な表現方法とで、前記図形的な表現方法を異ならせて表示手段に画像として表示する表示処理と、
を含むことを特徴とする立体造形物表示方法。
【請求項６】
前記第２の表現処理は、前記熱膨張層の膨張後の隆起高さを陰影で示す画像として表現することを特徴とする請求項５に記載の立体造形物表示方法。
【請求項７】
前記第１のパーツは、図形の輪郭線、線および点であることを特徴とする請求項５又は６に記載の立体造形物表示方法。
【請求項８】
前記第２のパーツは、図形、文字およびスタンプであることを特徴とする請求項５乃至７のいずれか一項に記載の立体造形物表示方法。
【手続補正２】
【補正対象書類名】明細書
【補正対象項目名】発明の名称
【補正方法】変更
【補正の内容】
【発明の名称】立体造形物製造システム、プログラムおよび立体造形物表示方法
【手続補正３】
【補正対象書類名】明細書
【補正対象項目名】０００１
【補正方法】変更
【補正の内容】
【０００１】
本発明は、熱膨張性シートにより立体造形物を製造する立体造形物製造システムおよびプログラムおよび立体造形物表示方法に関し、特に立体造形物の製造における熱膨張性シートへの印刷を確認するための表示制御に関する。